【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
所定数のティントＴ1〜Ｔnの組み合わせから構成された候補塗色を目標塗色と整合させるコンピュータ実施方法であって、
（ａ）ビデオモニタの第１のフィールド内に、所定の目標塗色のレンダリングを表示するステップと、
（ｂ）前記ビデオモニタの第２のフィールド内に、初期候補補修塗色のレンダリングを表示するステップと、
（ｃ）前記ビデオモニタのそれぞれのフィールド内に、前記ティントＴ1〜Ｔnの各々を表示するステップと、
（ｄ）前記ティントの１つを選択するステップとを含み、
前記所定の目標塗色が多次元色空間における所定の目標色点に対応し、
前記初期候補補修塗色が所定数のティントＴ1〜Ｔnの各々の所定量の組み合わせから構成され、前記初期候補補修塗色が前記多次元色空間における初期候補色点に対応し、
改良が、
（ｅ）前記ティントの１つの選択に応じて、前記多次元色空間でベクトル解析を用いて前記多次元色空間における更新候補色点を算出するステップと、
（ｆ）前記第２のフィールド内に、前記多次元色空間における前記更新候補色点に対応する更新候補補修塗色のレンダリングを表示するステップとを含み、
前記更新候補色点が前記多次元色空間における前記候補色の位置において終端するベクトルへの色調整ベクトルの追加により規定され、前記色調整ベクトルは、所定調整量の前記選択されたティントが前記多次元色空間において前記候補色点を移動させる大きさと方向とを表わす、
ことを特徴とする方法。
【請求項２】
デジタルコンピュータに、所定数のティントＴ1〜Ｔnの組み合わせから構成された候補補修塗色を調整するコンピュータ実施方法を行わせるプログラム命令を含む機械読み取り可能な記憶媒体であって、前記方法が、
（ａ）ビデオモニタの第１のフィールド内に、所定の目標塗色のレンダリングを表示するステップと、
（ｂ）前記ビデオモニタの第２のフィールド内に、初期候補補修塗色のレンダリングを表示するステップと、
（ｃ）前記ビデオモニタのそれぞれのフィールド内に、前記ティントＴ1〜Ｔnの各々を表示するステップとを含み、
前記所定の目標塗色が多次元色空間における所定の目標色点に対応し、
前記初期候補補修塗色が所定数のティントＴ1〜Ｔnの各々の所定量の組み合わせから構成され、前記初期候補補修塗色が前記多次元色空間における初期候補色点に対応し、
前記方法が、
（ｄ）前記ティントの１つの選択に応じて、前記多次元色空間でベクトル解析を用いて前記多次元色空間における更新候補色点を算出するステップと、
（ｅ）前記第２のフィールド内に、前記多次元色空間における前記更新候補色点に対応する更新候補補修塗色のレンダリングを表示するステップとをさらに含み、
前記更新候補色点が前記多次元色空間における前記候補色の位置において終端するベクトルへの色調整ベクトルの追加により規定され、前記色調整ベクトルは、所定調整量の前記選択されたティントが前記多次元色空間において前記候補色点を移動させる大きさと方向とを表わす、ことを特徴とする、
機械読み取り可能な記憶媒体。
【手続補正２】
【補正対象書類名】明細書
【補正対象項目名】００６９
【補正方法】変更
【補正の内容】
【００６９】
上記のように本発明の教示の利益を受ける当業者は多数の変更を行い得る。そのような変更は添付の特許請求の範囲により規定されているように、本発明の意図内にあるものと解釈されるべきである。
次に、本発明の好ましい態様を示す。
１．所定数のティントＴ1〜Ｔnの組み合わせから構成された候補塗色を目標塗色と整合させるコンピュータ実施方法であって、
（ａ）ビデオモニタの第１のフィールド内に、所定の目標塗色のレンダリングを表示するステップと、
（ｂ）前記ビデオモニタの第２のフィールド内に、初期候補補修塗色のレンダリングを表示するステップと、
（ｃ）前記ビデオモニタのそれぞれのフィールド内に、前記ティントＴ1〜Ｔnの各々を表示するステップと、
（ｄ）前記ティントの１つを選択するステップとを含み、
前記所定の目標塗色が多次元色空間における所定の目標色点に対応し、
前記初期候補補修塗色が所定数のティントＴ1〜Ｔnの各々の所定量の組み合わせから構成され、前記初期候補補修塗色が前記多次元色空間における初期候補色点に対応し、
改良が、
（ｅ）前記ティントの１つの選択に応じて、前記多次元色空間でベクトル解析を用いて前記多次元色空間における更新候補色点を算出するステップと、
（ｆ）前記第２のフィールド内に、前記多次元色空間における前記更新候補色点に対応する更新候補補修塗色のレンダリングを表示するステップとを含み、
前記更新候補色点が前記多次元色空間における前記候補色の位置において終端するベクトルへの色調整ベクトルの追加により規定され、前記色調整ベクトルは、所定調整量の前記選択されたティントが前記多次元色空間において前記候補色点を移動させる大きさと方向とを表わす、
ことを特徴とする方法。
２．前記更新候補色点を算出するために用いられるベクトル解析が、所与の波長における反射率を吸収および散乱係数に関連付ける顔料混合モデルを用いる、
上記１に記載の改良方法。
３．前記顔料混合モデルが金属フレークのマルチアングル反射特性を含む、
上記２に記載の改良方法。
４．（ｇ）前記第２のフィールド内にレンダリングされた前記更新候補塗色を、前記第１のフィールド内にレンダリングされた前記目標塗色と比較するステップと、
（ｈ）前記比較の結果に基づいて、各反復時に、直前の更新候補色へのその反復中に選択された所定調整量のティントの追加により生成される次の更新候補色のレンダリングが前記第２のフィールド内に表示され、繰り返しが前記次の更新候補色および前記目標色のレンダリング間で容認可能な色整合が達成されるまで続くように、前記ティントのいずれかの選択によりステップ（ｄ）〜（ｆ）を反復して繰り返すステップとをさらに含む、
上記１に記載の改良方法。
５．（ｉ）容認可能な色整合の達成時に、前記初期候補色に追加された各ティントの調整量数を集計して、最終的な次の更新候補色を生成するステップをさらに含む、
上記４に記載の改良方法。
６．（ｊ）前記集計された調整量の各ティントを前記初期候補塗色の前記所定量の塗料に追加することにより、塗料を混合するステップをさらに含む上記５に記載の改良方法。
７．前記ビデオモニタが、内部に規定された複数の箇所を備えた画面を有する陰極線ビデオモニタであり、各箇所が対応する赤色、緑色および青色励起信号によりそれぞれ励起可能な赤色、緑色および青色蛍光体を含み、
それぞれのフィールド内における前記所定の目標色、前記初期候補補修色、前記更新候補補修色、および各ティントＴ1〜Ｔnの各々の表示が、前記それぞれの所定の目標色点、前記初期候補色点、前記更新候補色点、および各ティントＴ1〜Ｔnを、その対応する赤色、緑色および青色励起信号に変換することにより達成される、
上記１に記載の改良方法。
８．前記第２のフィールドが、ディスプレイ上で前記第１のフィールドに対して当接関係で並列されている、
上記１に記載の改良方法。
９．前記第１のフィールドが、前記ディスプレイ上の前記第２のフィールドに近接しているが離間されている、
上記１に記載の改良方法。
１０．前記ティントの各々用の前記フィールドが、前記ディスプレイ上の前記第２のフィールドに対して当接関係で並列されている、
上記１に記載の改良方法。
１１．前記ビデオ画面の前記フィールドが、色順応のために無彩色周囲背景色内でレンダリングされる、
上記１に記載の改良方法。
１２．前記ティントの１つの選択が、前記選択されたティントに対応する前記ディスプレイの前記それぞれのフィールドを選択することにより行われる、
上記１に記載の改良方法。
１３．前記多次元色空間が３次元色空間であり、
前記所定の目標色点、前記初期候補補修色点、前記更新候補補修色点、および各ティントＴ1〜Ｔnの各々が、前記色またはティントの明度、彩度および色相をそれぞれ表わす一組の３座標値により、前記３次元色空間において規定される、
上記１に記載の改良方法。
１４．前記多次元色空間が９次元色空間であり、
前記所定の目標色点、前記初期候補補修色点、前記更新候補補修色点、および各ティントＴ1〜Ｔnの各々が、３つの所定の視認角度の各々において、前記色またはティントの明度、彩度および色相をそれぞれ表わす一組の９座標値により、前記９次元色空間において規定される上記１に記載の改良方法。
１５．前記多次元色空間が１５次元色空間であり、
前記所定の目標色点、前記初期候補補修色点、前記更新候補補修色点、および各ティントＴ1〜Ｔnの各々が、５つの所定の視認角度の各々において、前記色またはティントの明度、彩度および色相をそれぞれ表わす一組の１５座標値により、前記１５次元色空間において規定される、
上記１に記載の改良方法。
１６．前記多次元色空間における前記所定の目標色点の座標が分光光度計を用いて決定される上記１に記載の改良方法。
１７．各選択されたティントの前記所定調整量が調整可能に選択可能である、
上記１に記載の改良方法。
１８．デジタルコンピュータに、所定数のティントＴ1〜Ｔnの組み合わせから構成された候補補修塗色を調整するコンピュータ実施方法を行わせるプログラム命令を含む機械読み取り可能な記憶媒体であって、前記方法が、
（ａ）ビデオモニタの第１のフィールド内に、所定の目標塗色のレンダリングを表示するステップと、
（ｂ）前記ビデオモニタの第２のフィールド内に、初期候補補修塗色のレンダリングを表示するステップと、
（ｃ）前記ビデオモニタのそれぞれのフィールド内に、前記ティントＴ1〜Ｔnの各々を表示するステップとを含み、
前記所定の目標塗色が多次元色空間における所定の目標色点に対応し、
前記初期候補補修塗色が所定数のティントＴ1〜Ｔnの各々の所定量の組み合わせから構成され、前記初期候補補修塗色が前記多次元色空間における初期候補色点に対応し、
前記方法が、
（ｄ）前記ティントの１つの選択に応じて、前記多次元色空間でベクトル解析を用いて前記多次元色空間における更新候補色点を算出するステップと、
（ｅ）前記第２のフィールド内に、前記多次元色空間における前記更新候補色点に対応する更新候補補修塗色のレンダリングを表示するステップとをさらに含み、
前記更新候補色点が前記多次元色空間における前記候補色の位置において終端するベクトルへの色調整ベクトルの追加により規定され、前記色調整ベクトルは、所定調整量の前記選択されたティントが前記多次元色空間において前記候補色点を移動させる大きさと方向とを表わす、ことを特徴とする、
機械読み取り可能な記憶媒体。
１９．前記改良方法が、
（ｆ）前記第２のフィールド内にレンダリングされた前記更新候補塗色を、前記第１のフィールド内にレンダリングされた前記目標塗色と比較するステップと、
（ｇ）前記比較の結果に基づいて、各反復時に、直前の更新候補色へのその反復中に選択された所定調整量のティントの追加により生成される次の更新候補色のレンダリングが前記第２のフィールド内に表示され、繰り返しが前記次の更新候補色および前記目標色のレンダリング間で容認可能な色整合が達成されるまで続くように、前記ティントのいずれかの選択によりステップ（ｄ）〜（ｆ）を反復して繰り返すステップとをさらに含む、
上記１８に記載の機械読み取り可能な記憶媒体。
２０．前記改良方法が、
（ｈ）容認可能な色整合の達成時に、前記初期候補色に追加された各ティントの調整量数を集計して、最終的な次の更新候補色を生成するステップをさらに含む、
上記１９に記載の機械読み取り可能な記憶媒体。